(57)【要約】      （修正有）【課題】海洋環境の保全と同時に、水産資源の成育を促進させるコンクリート成形体の提供。【解決手段】コンクリート成形体（１ａ、１ｂ、１ｃ）は、固着生活を長期に営む水生生物を引き寄せる嫌気性生物、およびｐＨ調整剤を含んだ成形体で、Ｈ型、Ｌ型、Ｏ型、Ｔ型、Ｕ型、Ｘ型、中空の矩形、多数の窪みを有した形状を持ったもので、これらの任意の組み合わせの断面を形成させる。【選択図】図１
2019062751.tif 000002
【特許請求の範囲】
【請求項１】
固着生活を長期に営む水生生物を引き寄せる嫌気性生物、およびｐＨ調整剤を含んでいる、コンクリート成形体。
【請求項２】
上記水生生物が海洋生物である、請求項１に記載のコンクリート成形体。
【請求項３】
上記海洋生物が藻類である、請求項２に記載のコンクリート成形体。
【請求項４】
上記ｐＨ調整剤が弱酸である、請求項１〜３のいずれか１項に記載のコンクリート成形体。
【請求項５】
上記嫌気性生物が、乳酸菌群に含まれている真正細菌である、請求項１〜４のいずれか１項に記載のコンクリート成形体。
【請求項６】
Ｈ型、Ｌ型、Ｏ型、Ｔ型、Ｕ型、Ｘ型、中空の矩形、多数の窪みを有している塊状、およびそれらの任意の組合せの断面を有している、請求項１〜４のいずれか１項に記載のコンクリート成形体。
【発明の詳細な説明】
【技術分野】
【０００１】
本発明は、コンクリート成形体に関する。より詳細には、本発明は、通常は海底または岩礁などに固着している生物を固着させることによって、当該生物の成育を促進させる成形材に関する。
【背景技術】
【０００２】
海面下に設置する構造物として、魚礁および消波ブロックなどが知られている。魚礁は、その設置によって、水流を緩やかにしたり、海底に多く存在する、魚類にとっての栄養素を海面に近い深度に送り込んだりする役割を果たす。消波ブロックは、その形状に基づく低い重心および重量に起因する安定性にしたがって、消波ブロックを通過する波のエネルギーを減衰させる。魚礁には廃船またはコンクリート塊などが、消波ブロックにはコンクリート成形体が、一般的に用いられる。
【先行技術文献】
【非特許文献】
【０００３】
【非特許文献１】株式会社SNC、ハイブリッド魚礁「スーパーSK１３００S」（http://www.snc-inc.co.jp/ocean.html）
【発明の概要】
【発明が解決しようとする課題】
【０００４】
しかし、魚礁および消波ブロックには、期待される役割を果たすための性質は、考慮されているが、設置後に水質に与える影響（長期的および短期的）は、十分に考慮されていない。例えば、魚礁としての廃船の使用は、上記影響を十分に考慮しなければ、海、河川および湖沼への廃船の投棄に過ぎない。消波ブロックの材料であるコンクリート（アルカリ性を示す）は、ｐＨの低下（水質への馴化）によって劣化する。つまり、機能を果たしている消波ブロックは、多くの生物に対して一般的に有害である。
【０００５】
本発明の一態様は、海洋環境の保全と同時に、水産資源の成育を促進させることを目的とする。
【課題を解決するための手段】
【０００６】
上記の課題を解決するために、本発明の一態様に係る水生生物成育促進材は、固着生活を長期に営む水生生物を引き寄せる嫌気性生物、およびｐＨ調整剤を含んでいるコンクリート成形体である。
【発明の効果】
【０００７】
本発明の一態様によれば、海洋環境の保全と同時に、水産資源の成育を促進させることができる。
【図面の簡単な説明】
【０００８】
【図１】本発明のいくつかの実施形態に係るコンクリート成形体の外観を示す概略図である。
【図２】本発明の実施例の結果を示す図である。
【図３】本発明の比較例の結果を示す図である。
【発明を実施するための形態】
【０００９】
〔コンクリート成形体〕
本発明の一態様は、コンクリート成形体に関する。当該コンクリート成形体は、固着生活を長期に営む水生生物を引き寄せる嫌気性生物、およびｐＨ調整剤を含んでいる。
【００１０】
本明細書において、「固着生活を長期に営む水生生物」は、幼生（例えば胞子）のとき、生存に適した場を求めて水中を浮遊し、成体になると固着生活または底生生活を主に営む生物を指す。したがって、上述の水性生物に包含される生物種は、分類学上では多岐にわたる。すべての生物種に言及することは、本明細書に記載されている発明を理解するために必須ではないので、海洋生物（のうち、海藻および貝類）を水性生物の例に挙げて、発明を以下に詳述する。
【００１１】
海藻は、植物ドメインには属さない光合成（酸素発生型）を行う生物の、総称である。海藻の例としては、ヒトの食用に供されるワカメ、昆布、ヒジキおよび松藻のほかに、魚介に生息の場をもたらし、栄養源にもなり得るヒバマタおよびホンダワラなどが挙げられる。貝類は、動物ドメインに属する生物であり、その多くが、成体のときに自らの器官を用いて移動する（固着生活または底生生活から一時的に離れる）。
【００１２】
上記コンクリート成形体に含まれている上記嫌気性生物は、通性嫌気性、偏性嫌気性および耐酸素性のいずれかである。当該嫌気性生物には、高い塩濃度およびやや低いｐＨ（弱酸性〜中性）において生存可能であることが必須に求められ、上記幼生（のいずれか１種）を引き寄せる能力が求められる。上記コンクリート成形体に幼生が引き寄せられるのは、当該嫌気性生物が分泌する物質のためであると考えられる。したがって、上記嫌気性生物の具体的な種類は、水性生物の種類に応じて決定される。
【００１３】
このような嫌気性生物の好適な例としては、乳酸菌群と一般的に呼ばれる真正細菌が挙げられる。当該真正細菌は、生物学的な分類にしたがえば、ラクトバチルス属（Lactobacillus）、エンテロコッカス属（Enterococcus）、ラクトコッカス属（Lactococcus）、ペディオコッカス属（Pediococcus）、リューコノストック属（Leuconostoc）、ストレプトコッカス属（Streptococcus）およびビフィドバクテリウム属（Bifidobacterium）のいずれかに属する。これらの属に属する真正細菌のうち、アシドフィルス菌（Lactobacillus acidophilus）およびフェカリス菌（Enterococcus faecalis）は、上記コンクリート成形体に含まれている上記嫌気性生物として好ましいことが実施例によって証明されている。
【００１４】
通常のコンクリート塊は、水と混合されたセメントの硬化によって、作製される。上記コンクリート成形体と関係のない通常のコンクリート塊は、成分として含まれている石灰のためにアルカリ性（高いｐＨ）を示し、周囲環境からの酸の作用などによる中性化にしたがって、劣化していく。しかし、上記コンクリート成形体は、通常のコンクリート塊には加えられていないｐＨ調整剤を含んでいる。当該ｐＨ調整剤は、上記コンクリート成形体に含まれている上記嫌気性生物を保護すること、当該コンクリート成形体を沈める水域の状態を変化させないことを目的としている。したがって、ｐＨ調整剤を含んでいる上記コンクリート成形体は、これらの目的のために、４〜７のｐＨを有していることが好ましい。
【００１５】
上記ｐＨ調整剤は、酸である。アルカリ条件では、上記嫌気性生物は、死滅するか、または微弱な生命活動を示すが、当該酸によって、コンクリート塊の示すアルカリ性が中和される。上記ｐＨ調整剤は、弱酸であることが好ましい。強酸は、石灰などと速やかに激しく反応することによって、高温を発する。高温条件では、アルカリ条件と同様に、上記嫌気性生物は、死滅するか、または微弱な生命活動を示す。弱酸の好ましい例として、蟻酸よび過酸化水素水が挙げられる。弱酸の他の例として、海水に含まれている弱酸（例えば、炭酸、リン酸またはホウ酸）、およびアルカリとの反応によって海水中の成分を生じる酸（低濃度の次亜塩素酸水）が挙げられる。
【００１６】
実施例に証明されている通り、実際に、海藻および貝類が、海中に沈めてから４日後には上記コンクリート成形体に付着している。したがって、上記コンクリート成形体が、当該コンクリート成形体の沈んでいる周囲の水域と比べて、海藻および貝類にとって好ましい局地的な環境を作り出していることは、明らかである。特に、上記コンクリート成形体に含まれている嫌気性生物（から分泌される物質）が、海藻および貝類を引き寄せる役割を果たしていると考えられる。ｐＨ調整剤は、当該嫌気性生物を保護しつつ、海水に近い性質を、上記コンクリート成形体に付与しているからである。
【００１７】
上記コンクリート成形体には、１ｃｍ３ごとに約１００〜５００細胞（好ましくは約１５０〜４００細胞、より好ましくは約２００〜３００細胞（特に約２５０細胞））の上記嫌気性生物が含まれている。コンクリート成形体に含まれている嫌気性生物の数は、例示的に示されている。当該数は、コンクリート成形材を沈める水域における水温に応じて、変更され得る。一般的に、上記嫌気性生物は、低い水温（例えば１５℃以下）において低い活性を示し、高い水温（例えば３０℃以上、より詳細には３１〜３４℃）において高い活性を示す。したがって、上記水温が低いとき上記細胞数の範囲から高い値が選択され得、上記水温が高いとき細胞数の範囲から低い値が選択され得る。上記細胞数が約２５０細胞であるとき、例えば中程度の水温（１５〜３０℃）に適した上記コンクリート成形体が得られる。上記細胞数は、上記コンクリート成形体に含まれている、上記嫌気性生物（１種、または２種以上の組合せ）の合計を表している。
【００１８】
海水の組成は、水域および深度によって異なる。ある水域の組成は、当該水域を流れる海流（日本近海を例にとると、親潮、黒潮およびこれらの混合域）に大きく影響される。また、深度が大きいほど、水温が低く、かつ塩濃度が高いこともよく知られている。したがって、上記コンクリート成形体を沈める水域の組成を、あらかじめ測定することが好ましい。測定された組成にしたがって、上記嫌気性生物の数およびｐＨ調整剤の量は、変更され得る。
【００１９】
上記コンクリート成形体は、当該コンクリート成形体を沈める予定の海底にある砂、石または岩（の破片）を含んでいることが好ましい。砂、石または岩が、上記コンクリート成形体が沈められる水域に特有の属性を、当該コンクリート成形体にあらかじめ付与するからである。上記砂、石または岩（の破片）は、上記コンクリート成形体における細骨材または粗骨材として機能し得る。
【００２０】
上記コンクリート成形体は、Ｈ型、Ｌ型、Ｏ型、Ｔ型、Ｕ型、Ｘ型、中空の矩形、多数の窪みを有している塊状、およびそれらの任意の組合せの断面を有していることが好ましい。図１には、Ｌ型（１ａ）、Ｔ型（１ｂ）または中空の矩形（１ｃ）の断面を有している上記コンクリート成形体の例が示されている。このような断面を有しているコンクリート成形体は、それらを海底に沈めたときに、海底に達する日光に照らされる部分および照らされない部分を作り出す。当該コンクリート成形体に集まってくる生物には、明るい場所を好む生物（光合成する藻類など）および暗い場所を好む生物がいる。
【００２１】
また、このような断面を有しているコンクリート成形体が積み重なると、当該コンクリート成形体の間に、互いに連絡している不規則な間隙が形成される。このような間隙は、当該コンクリート成形体の魚礁としての機能を向上させる。また、上記コンクリート成形体には、その壁を貫通する孔または貫通しない窪みが開けられていることが好ましい。
【００２２】
海藻の群生によって形成されている魚介の生息に好適な場所を、藻場と呼ぶ。日本近海において、海洋環境の汚染による藻場の減少が以前から指摘されており、海産物の水揚げ高の低下が当該指摘を裏付けている。水揚げ高を増大させる試みとして、沿岸における稚魚の放流および養殖が実施されている。
【００２３】
しかし、少なくとも日本では、放流および養殖は、それぞれ独立して実施されている異なる事業である。放流は、稚魚の成育に好適と予想される水域に稚魚を放つことであり、養殖は、海水に満たされている人工的な囲いの中で稚魚を育てることである。前者では、要する労力は小さいが、稚魚が、周囲に適応し、捕食されない見込みは低い。後者では、水質管理が十分になされていれば、稚魚が成魚になる見込みは高い。
【００２４】
ここで、上記コンクリート成形体は、労力を抑えつつ、稚魚が成魚になる見込みを高くできる。例えば、稚魚の放流を予定している水域にあらかじめ上記コンクリート成形体を沈め、それから一定期間（藻場の形成に要する期間）をおいた後に、稚魚を放流する。上記コンクリート成形体によってあらかじめ形成されている藻場は、一種の「囲い」として、稚魚の生存および成育を助ける。
【００２５】
稚魚の放流および養殖以外にも、上記コンクリート成形体は、海洋環境の保全事業および回復事業（例えば、海水温の上昇の抑制および磯焼けの防止など）にも利用可能である。海洋環境の変化によって藻場が衰退した水域、または津波もしくはプランクトンの異常発生によって藻場が破壊された水域に、上記コンクリート成形体を沈めることによって、海洋環境の変化に歯止めをかけたり、破壊された藻場を回復させ得る。
【実施例】
【００２６】
上記コンクリート成形体が、固着生活を営む海洋生物にどのように作用するかを確認するために、まず、小さい試験片（縦：約２５０ｍｍ、横：約１１０ｍｍ、厚さ：約２０ｍｍ）を準備した。０．７ｋｇの市販のセメントに、約３ｇの乳酸菌培養物（アシドフィルス菌およびフェカリス菌を含んでいる；北里研究所から入手したこれらの乳酸菌を、発明者が培養した）および２％（ｖ／ｖ）の蟻酸を含んでいる１Ｌの水を加えて、よく混ぜた。一方で菌を含んでいない試験片を準備するために、０．７ｋｇの市販のセメントに１Ｌの水を加えて、よく混ぜた。これらの混合物を、型に流し込み、３日間にわたって放置した。硬化した試験片を、波止場（下関港内）の近くに沈めた。沈めた試験片を、４日後に引き上げた。引き上げた試験片の表面を観察した。観察の結果を図２および３に示す。
【００２７】
図２（上パネルおよび下パネル）に示す通り、アシドフィルス菌およびフェカリス菌を含んでいる試験片の表面全体に藻類およびサザエが付着しており、サザエは、試験片に付着した藻類を食べていた。一方、図３に示す通り、アシドフィルス菌およびフェカリス菌を含んでいない試験片には、貝はもちろん、藻類の付着もほとんど認められなかった。
【産業上の利用可能性】
【００２８】
本発明は、水産業および海洋環境保全事業などに利用することができる。
【符号の説明】
【００２９】
１ａ〜ｃ  コンクリート成形体
【図１】
2019062751.tif 000003
【図２】
2019062751.tif 000004
【図３】
2019062751.tif 000005